(57)【特許請求の範囲】
【請求項１】
移動体に搭載されるデジタル放送受信装置であって、
複数の放送方式により放送されるデジタル放送を受信して復調する復調部と、
前記復調部により復調された第１の放送方式により放送されたデジタル放送をデコードする第１のデコード部と、
前記復調部により復調された第２の放送方式により放送されたデジタル放送をデコードする第２のデコード部と、
前記第１のデコード部又は第２のデコード部からの出力を選択して出力する選択部と、
前記移動体の移動速度を計測する計測部と、
前記計測部により計測された移動速度に基づいて前記選択部の選択を制御する判定部と、
を備え、
前記判定部は、視聴中の前記第１の放送方式により放送されたデジタル放送が受信できなくなった場合、前記移動速度が所定の速度以下の場合には前記選択部に前記第２の放送方式の出力を選択させ、前記移動速度が所定の速度以上の場合には前記第１の放送方式により放送されたデジタル放送と同じデジタル放送を異なる物理周波数からサーチして前記選択部に選択させることを特徴とするデジタル放送受信装置。
【発明の詳細な説明】
【技術分野】
【０００１】
本発明は、デジタル放送を受信する装置に関するものである。
【背景技術】
【０００２】
日本の地上デジタル放送は、２００３年１２月から３大都市圏で本放送がはじまり、２００６年１２月には、全国各都道府県の主要都市でも本放送が開始された。また、携帯電話機むけの放送として地上デジタル放送の電波の一部を利用したワンセグ放送も２００６年３月から始まっている。
【０００３】
なお、ここでは、地上デジタル放送のことを、あえてワンセグ放送にたいして区別するために、１２セグ放送と呼ぶこととする。
【０００４】
車載用をはじめとする移動用の地上デジタル放送受信機の中には、１２セグ放送とワンセグ放送の両方を受信可能とするものがすでに開発されている。ワンセグ放送はその変調方式のちがいから、１２セグ放送よりも微弱な電波で復調・復号が可能なため、１２セグ放送が受信できなくなったときにワンセグ放送に切り替えることがすでに発明されている（例えば、特許文献１）。
【０００５】
また、ワンセグ放送、１２セグ放送に限らず、視聴中の番組の電波状態が悪くなって視聴できない状態になったときに、別の物理周波数で放送されているおなじ内容の放送波を探して切り替えるという、中継局サーチの機能についても、すでに発明されている（例えば、特許文献２）。
【特許文献１】特開２００５−２５２５１２号公報
【特許文献２】特開２００６−１７４２０８号公報
【発明の開示】
【発明が解決しようとする課題】
【０００６】
１２セグ放送を受信している受信装置のアンテナの前を、人や車が通り過ぎたことなどにより一時的に電波状況が悪くなった場合は、同じ物理周波数のワンセグ放送を選局し、その後電波状況が復帰したときに再度１２セグ放送に切り替えることで、ユーザは番組を継続して視聴ができる。
【０００７】
ところが逆に、場所が移動したことによって１２セグ放送の受信状況が悪くなった場合には、別の中継局からの電波に切り替えたほうが安定した受信ができる可能性があるので、中継局サーチをおこなうほうがよい場合も考えられる。
【０００８】
このように、１２セグ放送が受信できなくなったときに、ワンセグ放送を選択するのか、別の中継局からの電波を選択するのかは、状況によって異なるため、どちらかに決めることができないという課題があった。
【０００９】
また、ワンセグ放送は、現在は１２セグ放送とおなじ内容のものを放送（サイマル放送）することが義務付けられているが、２００８年４月以降は１２セグ放送とは別のコンテンツを放送することも可能となるため、１２セグが受信できなくなったときにワンセグ放送に切り替えるという発明（特開２００５−２５２５１２）の意味が無くなることとなる。
【００１０】
しかし、ワンセグ放送が１２セグ放送のサイマルかどうかを判断する仕組みが放送規格上はないため、サイマル放送である場合のみワンセグに切り替える、ということができないという課題があった。
【００１１】
また、違う物理周波数の同じ放送も見つからず、ワンセグ放送も受信できない状態になった場合に、視聴中の番組を継続視聴できなくなってしまうという課題があった。
【００１２】
また、衛星放送による地上波再送信放送は、首都圏の放送をサイマル放送することが考えられるが、そのばあい、地方で視聴している場合には、地上波デジタル放送のサイマル放送で無い場合があるが、その判定をすることができないという課題があった。
【課題を解決するための手段】
【００１３】
上記課題を解決するために、第１の発明に係るデジタル放送受信装置は、受信装置の移動速度を計測する移動速度計測部を具備し、そこで得られた受信装置の移動速度によって、ワンセグ放送に切り替えるのか、別の物理周波数をつかって放送されているおなじ１２セグ放送を探してその物理周波数に切り替えるのかを判定する、選局判定部を備えたものである。
【００１４】
また、第２の発明では、ワンセグ放送を選局するのか、別の物理周波数で放送されているおなじ１２セグ放送をさがすのかをチャンネルごとに独立にユーザが設定することができる、優先順位設計部を備えたものである。
【００１５】
また、第３の発明では、地上デジタル放送以外にも、衛星放送、ＩＳＤＢ−Ｔｍｍの受信ができるチューナ、およびインターネットの接続ができる接続部を具備し、１２セグ放送もワンセグ放送も受信できなくなったときにそれらのメディアに切り替えることによって番組の継続視聴をするための選局部と選択部を備えたものである。
【００１６】
また、第４の発明では、現在位置と視聴中のチャンネルの情報によって、地上デジタル放送のサイマル放送を衛星デジタル放送で再送信されているかを判定するために現在位置検出部を備えたものである。
【発明の効果】
【００１７】
第１の発明に係るデジタル放送受信装置によれば、移動速度計測部によって計測された受信装置の移動速度に応じて、移動速度が小さい場合にはワンセグ放送を選局し、移動速度が大きい場合には、別の物理周波数で同じ放送を探すように処理を切り替えることで、より安定してテレビを継続して視聴することができるという効果がある。
【００１８】
第２の発明に係るデジタル放送受信装置によれば、優先順位設定部によって、ワンセグ放送が１２セグ放送のサイマル放送である場合とそうでなくなった場合で設定を変えることによって、電波が悪くなっても、番組の継続視聴ができるようになるという効果がある。
【００１９】
第３の発明に係るデジタル放送受信装置によれば、１２セグ放送もワンセグ放送も受信できなくなった場合でも番組の継続視聴ができるようになる、という効果がある。
【発明を実施するための最良の形態】
【００２０】
本発明は、地上デジタル放送を移動しながら受信するときに、番組の継続視聴をさせるための作用を有する。
【００２１】
（実施の形態１）
図１は本発明の一実施の形態におけるデジタル放送受信装置のブロック図である。以下、図１を用いて上記デジタル放送受信装置の構成について説明する。
【００２２】
ユーザが所望するチャンネルの物理周波数とサービス番号を指示する選局部１０１、前記選局部で指示された物理周波数とサービス番号を選択し、地上デジタル放送の電波を復調し、デスクランブルし、映像と音声のエレメンタリーストリームを出力する地上デジタル復調部１０２、前記地上デジタル復調部から出力されるワンセグ放送のエレメンタリーストリームを入力し、映像と音声信号をデコードし出力するワンセグデコード部１０３、同様に前記地上デジタル復調部から出力される１２セグ放送のエレメンタリーストリームを入力し、映像と音声信号をデコードし出力する１２セグデコード部１０４、前記ワンセグデコード部と前記１２セグデコード部から出力される映像、音声信号のうち、どちらか一方の映像、音声信号を選択して出力する選択部１０５、前記地上デジタル復調部から出力される受信レベル及び、前記１２セグデコード部から出力されるデコードエラー情報から、１２セグの受信状態を判定する受信判定部１０６、前記受信判定部からの１２セグ受信情報と、移動速度計測部からの移動速度の情報から、ワンセグ放送を選局するのか、他の物理周波数で同じ放送を探すのかを判定する選局判定部１０７、受信装置の移動速度を計測する移動速度計測部１０８、他の物理周波数で同じ放送を探すサーチ部１０９から構成される。
【００２３】
なお、上述した説明においては、受信判定部１０６は、ワンセグデコード部１０３と１２セグデコード部１０４から出力された映像、音声信号のいずれかを選択する選択部１０５の制御を行う構成について説明したが、本願発明はこれに限定されるものではなく、図示していないが、例えば、地上デジタル復調部１０２においてワンセグ放送又は１２セグ放送のいずれかを選択する構成とすることも可能である。
【００２４】
また、上述した図１には図示していないが、本願発明では、デジタル放送受信装置が現在選局中のデジタル放送を受信可能か否かを判別する構成（受信可否判別部）を設けることも可能である。この受信可否判別部では、例えば一例として、入力されたデジタル放送がデコーダ部において所定のデータをデコード可能か否かを判別する方法で実現することも可能であり、また、別の例としては、復調部においてＣＮレベルを検出することによりデジタル放送の受信の可否を判別する構成とすることも可能である。
【００２５】
以上の構成からなるデジタル放送受信装置における本発明の実施例１について図２の処理フローを用いて以下に説明する。
【００２６】
図２は、視聴中の１２セグ放送が視聴できなくなってしまった場合の、それ以降の処理フローについて説明する図である。ステップＳ２０１では、移動速度計測部１０８で測定された受信機の移動速度が、あらかじめ決められた規定値以下であるかどうかを判定し、規定値以下であればワンセグの受信をすべきであると判定する。これは、車載用の受信装置などにおいて、受信装置が移動していないのに受信状況が悪化したという状況から、アンテナの前を人や車が通り過ぎたことなど、周辺の環境変化が原因と考え、そうであれば、一時的に電波状況が悪くなったがすぐに回復すると判断し、他の物理周波数にきりかえないようにするものである。
【００２７】
また、受信装置の移動速度が規定値以上であれば、他の物理周波数の１２セグの検索を開始する。これは、車載用の受信機などにおいて、場所の移動により電波状況が変化したのであれば、今まで受信していた中継局よりも、もっと近くにより受信条件のよい別の中継局が存在する可能性があるため、別の物理周波数でおなじ放送が受信できないか、サーチすべきと判断するものである。
【００２８】
なお、移動速度の規定値は、たとえば、１０ｋｍ／時など固定的にきめてもよいが、ユーザが調整することができるようにしてもよい。また、速度は瞬間的なものを測定するのではなく、一定時間内の平均速度をもとに判定してもよい。また、加速時と減速時で規定値を変えるなどヒステリシスを持たせてもよい。また、チャンネルごとに、規定値をかえてもよい。
【００２９】
ステップＳ２０２では、同じ物理周波数内のワンセグ放送を選局する。ステップＳ２０３では、ステップＳ２０２で選局したワンセグが受信できているがどうかを判定する。受信可能かどうかは、ＣＮレベルや選局に必要なＰＳＩ情報が取得できているかどうかで判断してもよい。また映像、音声のデコードエラーがどれくらいの頻度で発生しているかなどによって判定してもよい。また、上記のような状態が一定時間以上連続して発生した場合のみ受信不可能と判定するなど、ヒステリシスをもたせた判定をおこなってもよい。
【００３０】
ここで、ワンセグ放送が受信できていた場合には、これで処理を終了し、ワンセグ放送を視聴する。一方、ステップＳ２０４ではほかの物理周波数でおなじネットワークＩＤの放送が行われていないかを探しにいく。なお、ほかの物理周波数を探す場合に、すべての物理周波数を検査するのではなく、あらかじめ何らかの方法で入手した中継局の物理周波数のリストをもとに、その周波数のみを調査することで調査時間の短縮をおこなってもよい。なお、複数の物理周波数で、おなじネットワークＩＤの放送が行われていたことがわかった場合、それらのうちもっともＣＮのよいものを選択するなどしてもよい。
【００３１】
次に、ステップＳ２０５ではステップＳ２０４でおなじネットワークＩＤの放送が見つかったかどうかを判定する。見つかっていればそこを選局し、ここでの処理は終了する。同じネットワークＩＤの放送局が見つからなかった場合には、同じ系列局ＩＤをもった放送を探す。ステップＳ２０６では、ほかの物理周波数でおなじネットワークＩＤの放送が行われていないかを探しにいく。なお、複数の物理周波数で、おなじネットワークＩＤの放送が行われていたことがわかった場合、それらのうちもっともＣＮレベルの高いものを選択するなどをしてもよい。
【００３２】
次に、ステップＳ２０７では、ステップＳ２０６で系列局が見つかったかどうかを判定する。見つかっていればそこを選局し、ここでの処理は終了する。系列局が見つからなかった場合には、元の周波数のワンセグ放送を選局する。
【００３３】
このように、電波状況の悪化によって放送の視聴ができなくなった場合に、移動速度を考慮して、最適な方法で、視聴を継続するための手段を提供し、ユーザは特別な操作なく自動的に継続視聴することができるものである。
【００３４】
なお、上述した実施の形態１においては、説明の簡単化のためワンセグと１２セグ放送について説明したが、本願発明はこれに限定されるものではなく、複数の放送方式により放送がなされている状況下において、移動速度を考慮して最適な方法で視聴を継続する場合に適用可能である。
【００３５】
（実施の形態２）
図３は本発明の一実施の形態におけるデジタル放送受信装置のブロック図である。以下、図３を用いて上記デジタル放送受信装置の構成について説明する。ユーザが所望するチャンネルの物理周波数とサービス番号を指示する選局部３０１、前記選局部で指示された物理周波数とサービス番号を選択し、地上デジタル放送の電波を復調し、デスクランブルし、映像と音声のエレメンタリーストリームを出力する地上デジタル復調部３０２、前記地上デジタル復調部３０２から出力されるワンセグ放送のエレメンタリーストリームを入力し、映像と音声信号をデコードし出力するワンセグデコード部３０３、同様に前記地上デジタル復調部から出力される１２セグ放送のエレメンタリーストリームを入力し、映像と音声信号をデコードし出力する１２セグデコード部３０４、前記ワンセグデコード部と前記１２セグデコード部から出力される映像、音声信号のうち、どちらか一方の映像、音声信号を選択して出力する選択部３０５、前記地上デジタル復調部３０２から出力される受信レベル及び、前記１２セグデコード部から出力される１２セグデコードエラー情報、及び、前記ワンセグデコード部から出力されるワンセグデコードエラー情報から、１２セグ及びワンセグの受信状態を判定する受信判定部３０６、前記受信判定部からの受信状況情報と、優先順位設定部からの優先順位の情報から、ワンセグ放送を選局するのか、１２セグ放送を選局するのか、他の物理周波数で同じ放送を探すのかを判定する選局判定部３０７、ユーザの好みで、優先順位を設定する優先順位設定部３０８、他の物理周波数で同じ放送を探すサーチ部３０９から構成される。
【００３６】
なお、上述した説明においては、受信判定部３０６は、ワンセグデコード部３０３と１２セグデコード部３０４から出力された映像、音声信号のいずれかを選択する選択部３０５の制御を行う構成について説明したが、本願発明はこれに限定されるものではなく、図示していないが、例えば、地上デジタル復調部３０２においてワンセグ放送又は１２セグ放送のいずれかを選択する構成とすることも可能である。
【００３７】
以上の構成からなるデジタル放送受信装置における本発明の実施例２について図４の処理フローを用いて以下に説明する。
【００３８】
図４は、視聴中の１２セグ放送が、視聴できなくなってしまった場合の、それ以降の処理フローについて説明する図である。ステップＳ４０１では、優先順位設定部３０８で設定されたユーザの指示による優先順位によって、ワンセグ放送を選局するのか、他の物理周波数で同じ放送を探すのかを決定する。ワンセグ放送が１２セグ放送のサイマル放送をしているかどうかや、あるいは、画質の悪いワンセグよりも、画質のよい１２セグ放送を好むか、など、ユーザの判断で設定するものである。なおこのユーザの設定は、放送局ごとに個別に設定できるようにしてもよい。
【００３９】
次に、ステップＳ４０２では、同じ物理周波数内のワンセグ放送を選局する。ステップＳ４０３では、ステップＳ４０２で選局したワンセグ放送が受信できているがどうかを判定する。受信可能かどうかは、ＣＮレベルや選局に必要なＰＳＩ情報が取得できているかどうかで判断してもよい。また映像、音声のデコードエラーがどれくらいの頻度で発生しているかなどによって判定してもよい。また、上記のような状態が一定時間以上連続して発生した場合のみ受信不可能と判定するなど、ヒステリシスをもたせた判定をおこなってもよい。ここでワンセグ放送が受信できていた場合には、これで処理を終了し、ワンセグ放送を視聴する。
【００４０】
一方、ステップＳ４０４ではほかの物理周波数でおなじネットワークＩＤの放送が行われていないかを探しにいく。なお、ほかの物理周波数を探す場合に、すべての物理周波数を検査するのではなく、あらかじめ何らかの方法で入手した中継局の物理周波数のリストをもとに、その周波数のみを調査することで調査時間の短縮をおこなってもよい。なお、複数の物理周波数で、おなじネットワークＩＤの放送が行われていたことがわかった場合、それらのうちもっともＣＮのよいものを選択するなどしてもよい。
【００４１】
次に、ステップＳ４０５ではステップＳ４０４でおなじネットワークＩＤの放送が見つかったかどうかを判定する。見つかっていればそこを選局し、ここでの処理は終了する。同じネットワークＩＤの放送局が見つからなかった場合には、同じ系列局ＩＤをもった放送を探す。
【００４２】
次に、ステップＳ４０６では、ほかの物理周波数でおなじネットワークＩＤの放送が行われていないかを探しにいく。なお、複数の物理周波数で、おなじネットワークＩＤの放送が行われていたことがわかった場合、それらのうちもっともＣＮレベルの高いものを選択するなどをしてもよい。ステップＳ４０７では、ステップＳ４０６で系列局が見つかったかどうかを判定する。見つかっていればそこを選局し、ここでの処理は終了する。系列局が見つからなかった場合には、元の周波数のワンセグ放送を選局する。
このように、電波状況の悪化によって放送の視聴ができなくなった場合に、ユーザの好みに応じて最適な方法で、視聴を継続するための手段を提供し、ユーザは特別な操作なく自動的に継続視聴することができるものである。
【００４３】
なお、上述した実施の形態１においては、説明の簡単化のためワンセグと１２セグ放送について説明したが、本願発明はこれに限定されるものではなく、複数の放送方式により放送がなされている状況下において、ユーザーの好みに応じた最適な方法で視聴を継続する場合に適用可能である。
【００４４】
（実施の形態３）
図５は本発明の一実施の形態におけるデジタル放送受信装置のブロック図である。以下、図５を用いて上記デジタル放送受信装置の構成について説明する。
【００４５】
ユーザが所望するコンテンツの選局方法を実現する選局部５０１、前記選局部で指示されたＵＲＬを選択し、インターネット上の映像コンテンツのストリーミングデータを受信し、デスクランブルし、映像と音声のエレメンタリーストリームを出力するＩＰ接続部５０２、前記選局部で指定された衛星デジタル放送の電波を受信し、復調し、デスクランブルし映像と音声のエレメンタリーストリームを出力する衛星デジタル復調部５０３、前記選局部で指定された物理周波数とＩＳＤＢ−Ｔｍｍチャンネルを選択し、ＩＳＤＢ−Ｔｍｍ放送を受信し、復調し、デスクランブルし映像と音声のエレメンタリーストリームを出力するＩＳＤＭ−Ｔｍｍ復調部５０４、前記選局部で指示された物理周波数とサービス番号を選択し、地上デジタル放送の電波を復調し、デスクランブルし、１２セグ放送とワンセグ放送の映像と音声のエレメンタリーストリームを出力する地上デジタル復調部５０５、前記ＩＰ接続部から出力されるストリーミングデータのエレメンタリーストリームを入力し、映像と音声信号をデコードし出力するＩＰストリームデコード部５０６、前記衛星デジタル復調部から出力されるエレメンタリーストリームを入力し、映像と音声信号をデコードし出力する衛星デジタルデコード部５０７、前記ＩＳＤＢ−Ｔｍｍ復調部、もしくは前記地上デジタル復調部から出力されるワンセグ放送のエレメンタリーストリームを入力し、映像と音声信号をデコードし出力するワンセグデコード部５０８、前記地上デジタル復調部から出力される１２セグ放送のエレメンタリーストリームを入力し、映像と音声信号をデコードし出力する１２セグデコード部５０９、前記ＩＰストリームデコード部、前記衛星デジタルデコード部、前記ワンセグデコード部と前記１２セグデコード部から出力される映像、音声信号のうち、いずれか一組の映像、音声信号を選択して出力する選択部５１０、前記ＩＰストリームデコード部、前記衛星デジタルデコード部、前記ワンセグデコード部と前記１２セグデコード部から出力されるデコードエラー情報から、各メディアの受信状態を判定する受信判定部５１１、前記受信判定部からの受信状況情報と、優先順位設定部からの優先順位の情報と、移動速度計測部からの移動速度と、現在位置検出部からの現在位置情報から、どのメディアの放送を選局するのか、あるいは１２セグ放送の、他の物理周波数で同じ放送を探すのかを判定する選局判定部５１２、ユーザの好みで、優先順位を設定する優先順位設定部５１３、本受信機の移動速度を計測して通知する移動速度計測部５１４、現在位置を計測する現在位置検出部５１６、他の物理周波数で同じ放送を探すサーチ部５１５から構成される。
【００４６】
以上の構成からなるデジタル放送受信装置における本発明の実施例３について図６及び図７の処理フローを用いて以下に説明する。
【００４７】
図６及び図７は、視聴中の１２セグ放送が、視聴できなくなってしまった場合の、それ以降の処理フローについて説明する図である。またここでは、選局するメディアの優先順位を、地上波ジタル、ＩＳＤＢ−Ｔｍｍ、衛星デジタル、ＩＰ再送信の順に設定したときの例である。この優先順位は、５１３の優先順位設定部によってユーザに設定されるものであり、この実施例ではその一設定にもとづいて説明する。
【００４８】
ステップＳ６０１では、優先順位設定部５１３で設定されたユーザの指示による優先順位によって、ワンセグ放送を選局するのか、他の物理周波数で同じ放送を探すのかあるいは移動速度によってどちらかを選局するのかを決定する。ワンセグ放送が１２セグ放送のサイマル放送をしているかどうかや、あるいは、画質の悪いワンセグよりも、画質のよい１２セグ放送を好むか、など、ユーザの好みにおうじて、設定するものである。なお設定は、放送局ごとにできるようにしてもよい。
【００４９】
次に、ステップＳ６０２では、移動速度計測部５１４で測定された受信機の移動速度が、あらかじめ決められた規定値以下であるかどうかを判定し、規定値以下であればワンセグの受信をすべきであると判定する。ステップＳ６０３では、ワンセグ放送を選局する。ステップＳ６０４は、ステップＳ６０３で選局したワンセグが受信、デコードできているがどうかを判定する。ここでワンセグ放送が受信できていた場合には、これで処理を終了し、ワンセグ放送を視聴する。
【００５０】
一方、ステップＳ６０５ではほかの物理周波数でおなじネットワークＩＤの放送が行われていないかを探しにいく。ステップＳ６０６ではステップＳ６０５でおなじネットワークＩＤの放送が見つかったかどうか、見つかった放送局で視聴できているかを判定する。視聴できていれば、ここでの処理は終了する。
【００５１】
ここで、同じネットワークＩＤの放送局が見つからなかった場合には、ステップＳ６０７で同じ系列局ＩＤをもった放送を探す。ステップＳ６０８では、ステップＳ６０７で系列局が見つかったかどうかを判定する。見つかっていればそこを選局し、ここでの処理は終了する。
【００５２】
系列局も見つからなかった場合には、ステップＳ６０９で現在位置検出部５１６で検出された現在位置によって、ＩＳＤＢ−Ｔｍｍ放送が行われている地域かどうかの判定を行う。もしＩＳＤＢ−Ｔｍｍがおこなわれている地域であれば、ステップＳ６１０でＩＳＤＢ−Ｔｍｍを選局し、そのなかで、現在視聴中の１２セグと同じ放送を探す。ステップＳ６１１ではステップＳ６１０でＩＳＤＢ−Ｔｍｍ放送が選局できたかどうかを判定し、選局できていればこれで処理を終了し、ＩＳＤＢ−Ｔｍｍ放送を視聴する。
【００５３】
もし選局できなかった場合には、ステップＳ６１２で、現在位置が関東広域であるか、もしくは現在視聴中の放送局がＮＨＫ教育かどうかを判断する。現在位置が首都圏であれば、視聴中の地上デジタル放送の再送信が衛星デジタル放送でされているので、ステップＳ６１３で、衛星デジタル放送を選局する。または、Ｓ６１２で現在視聴中の放送がＮＨＫ教育であれば、ＮＨＫ教育は全国どこでもおなじ放送をしているので、現在位置にかかわらず衛星放送で再送信しているものは地上デジタル放送のサイマル放送であるので、ステップＳ６１３で衛星デジタル放送を選局する。Ｓ６１４ではＳ６１３で地上波デジタルの再送信放送が受信できたかどうかを判定する。もし選局できていればこれで処理を終了し、衛星デジタル放送を視聴する。
【００５４】
一方、もし受信できていなければステップＳ６１５でＩＰ接続する。ステップＳ６１５でＩＰ接続し、現在視聴中の放送のＩＰ再送信されているＵＲＬに接続する。ステップＳ６１６では、ステップＳ６１５で選局できたかどうかにより、選局できていれば、処理は終了する。選局できていなかった場合には、ステップＳ６０３のワンセグ選局をおこなう。
【００５５】
このように、電波状況の悪化によって放送の視聴ができなくなった場合に、地上デジタル放送だけではなく、考えられるほかのメディアへ自動的に遷移し、ユーザの好みに応じて最適な方法で、視聴を継続するための手段を提供し、ユーザは特別な操作なく自動的に継続視聴することができるものである。
【００５６】
なお、上述した実施の形態では、優先順位設定部５１３、移動速度計測部５１４、現在位置検出部５１に基づいて選局判定部５１２が処理を行う構成について説明したが、本願発明はこれに限定されるものではなく、選択部５１０を介して出力される映像・音声信号を選別することが可能である情報であれば、本発明を適用することが可能である。
【産業上の利用可能性】
【００５７】
本発明のデジタル放送受信装置は、移動しながら受信するときに、ワンセグを選択するか、別の物理周波数の１２セグを選択するかを、ユーザにとって最適な方法に選択することができ、視聴中に特別な操作を行わなくても自動的に動作させることができるため、車載用デジタル放送受信機などに非常に有効な発明である。
【図面の簡単な説明】
【００５８】
【図１】本発明の実施形態１におけるデジタル放送受信装置の構成を説明するブロック図
【図２】本発明の実施形態１における処理内容を説明するフローチャート
【図３】本発明の実施形態２におけるデジタル放送受信装置の構成を説明するブロック図
【図４】本発明の実施形態２における処理内容を説明するフローチャート
【図５】本発明の実施形態３におけるデジタル放送受信装置の構成を説明するブロック図
【図６】本発明の実施の形態３における処理内容を説明するフローチャート
【図７】本発明の実施形態３における処理内容を説明するフローチャート
【図８】従来のデジタル放送受信装置の構成を説明するブロック図
【符号の説明】
【００５９】
１０１    選局部
１０２    地上デジタル復調部
１０３    ワンセグデコード部
１０４    １２セグデコード部
１０５    選択部
１０６    受信判定部
１０７    選局判定部
１０８    移動速度計測部
１０９    サーチ部
３０１    選局部
３０２    地上デジタル復調部
３０３    ワンセグデコード部
３０４    １２セグデコード部
３０５    選択部
３０６    受信判定部
３０７    選局判定部
３０８    優先順位設定部
３０９    サーチ部
５０１    選局部
５０２    ＩＰ接続部
５０３    衛星デジタル復調部
５０４    ＩＳＤＢ−Ｔｍｍ復調部
５０５    地上デジタル復調部
５０６    ＩＰストリームデコード部
５０７    衛星デジタルデコード部
５０８    ワンセグデコード部
５０９    １２セグデコード部
５１０    選択部
５１１    受信判定部
５１２    選局判定部
５１３    優先順位設定部
５１４    移動速度計測部
５１５    サーチ部
５１６    現在位置検出部
【図１】
0005391580.tif 000002
【図２】
0005391580.tif 000003
【図３】
0005391580.tif 000004
【図４】
0005391580.tif 000005
【図５】
0005391580.tif 000006
【図６】
0005391580.tif 000007
【図７】
0005391580.tif 000008
【図８】
0005391580.tif 000009